(57)【要約】  本発明は、発光型擬似壁装置に関し、この装置は、少なくとも１つのプロファイルによって構成されたシャーシ（１）であって、壁または天井などの被覆されるべきパネルの方に向けられた上側部分と、下側部分とを備えるシャーシ（１）と、シャーシ（１）に固定され、シャーシ（１）の下側部分で張設された拡散用の布（２）と、パネルと布（２）との間に配置され、布（２）の方向に光を照射する照明手段（８）とを備え、シャーシ（１）に照明手段（８）の光強度を増加させる手段が設けられていることを特徴としている。【選択図】図６
2019519899.tif 000002
【特許請求の範囲】
【請求項１】
少なくとも１つのプロファイルによって構成されたシャーシ（１）であって、壁または天井などの被覆されるべきパネルの方に向けられた上側部分と、下側部分とを備えるシャーシ（１）と、
前記シャーシ（１）に固定され、前記シャーシ（１）の前記下側部分で張設された拡散用の布（２）と、
前記パネルと前記布（２）との間に配置され、前記布（２）の方向に光を照射する照明手段（８）と
を備える発光型擬似壁装置において、
前記シャーシ（１）に前記照明手段（８）の光強度を増加させる手段が設けられていることを特徴とする、発光型擬似壁装置。
【請求項２】
光強度を増加させる前記手段が、前記照明手段（８）からの入射光線を前記布（２）に向かって反射するのに好適な反射面（２８）からなることを特徴とする、請求項１に記載の発光型擬似壁装置。
【請求項３】
前記プロファイルの各々が、前記パネルに面した上側板（９）と、前記上側板に垂直な外側板（１０）と、前記外側板（１０）に面した内側板（１１）とを有し、前記反射面（２８）が少なくとも１つの前記プロファイルの前記内側板（１１）上に配置されていることを特徴とする、請求項２に記載の発光型擬似壁装置。
【請求項４】
前記反射面が、１００％程度の反射率と、０％程度の透過率とを有することを特徴とする、請求項２または３に記載の発光型擬似壁装置。
【請求項５】
前記反射面（２８）が、内側板（１１）上に塗布された、反射特性を有する塗料の層からなることを特徴とする、請求項２〜４のいずれか一項に記載の発光型擬似壁装置。
【請求項６】
前記反射面（２８）が、内側板（１１）に固定された反射板からなることを特徴とする、請求項２〜４のいずれか一項に記載の発光型擬似壁装置。
【請求項７】
前記反射板が鏡からなることを特徴とする、請求項６に記載の発光型擬似壁装置。
【請求項８】
前記プロファイルの各々について、内側板（１１）が、上側板（９）の長手方向端部を外側板（１０）の長手方向端部に直接結合させていることを特徴とする、請求項３〜７のいずれか一項に記載の発光型擬似壁装置。
【請求項９】
前記内側板（１１）が平面からなることを特徴とする、請求項８に記載の発光型擬似壁装置。
【請求項１０】
前記内側板（１１）が、曲線状部分が当該発光型擬似壁装置の内側に向いた凹面からなることを特徴とする、請求項８に記載の発光型擬似壁装置。
【請求項１１】
前記シャーシ（１）が、前記シャーシ（１）に面した周縁部において、前記布（２）上に陰影領域（７）を生じさせ、前記反射面（２８）が、前記照明手段（８）から来る光線の一部を前記陰影領域（７）に方向転換して、前記布（２）の表面全体の光度のレベルを一様にするように構成されていることを特徴とする、請求項８〜１０のいずれか一項に記載の発光型擬似壁装置。
【請求項１２】
前記照明手段（８）が、少なくとも１つのＬＥＤタイプの光源からなることを特徴とする、請求項１〜１１のいずれか一項に記載の発光型擬似壁装置。
【請求項１３】
前記照明手段（８）が、当該発光型擬似壁装置を横切って均一に分布された複数の光源からなることを特徴とする、請求項１〜１２のいずれか一項に記載の発光型擬似壁装置。
【請求項１４】
前記布（２）が、好ましくは少なくとも５０％の光透過率を有する織布またはＰＶＣから作られた、半透明の拡散用の布（２）からなることを特徴とする、請求項１〜１３のいずれか一項に記載の発光型擬似壁装置。
【請求項１５】
ライトボックスの製造のための、請求項１〜１４のいずれか一項に記載の発光型擬似壁装置の使用。
【発明の詳細な説明】
【技術分野】
【０００１】
本発明は、壁または天井などのパネルに取り付ける発光型擬似壁装置に関する。従って、本発明は、背後に光源が配置される、貼設型の擬似天井および擬似壁の技術分野に関する。
【背景技術】
【０００２】
略矩形のシャーシフレームの基部に固定された張設型の布を備える擬似壁装置であって、シャーシフレームの側板のそれぞれを形成するプロファイル（異形体）の集合体からなる擬似壁装置は、従来技術において知られている。この目的のために、布はその周縁部に沿って固定された取付け手段を備える。例えば、仏国特許第２，６３０，４７６号明細書に記載されているように、布は、周囲のフック状外側縁部を備えることができる。別の取付け手段はプロファイルに挿入されたクリップからなり、プロファイル内で布を挟むことによって固定することができる。張設型の布は、例えば、織物材料、またはポリ塩化ビニル（ＰＶＣ）などの合成ポリマー材料であってもよい。光源が半透明の布を照らし、光が布を通って伝播し、発光型擬似壁装置が設置されている部屋を照らすことができる。
【０００３】
特に、ライトボックスタイプの用途では、布／フレームの組立体は、側板、底板および照明手段を備えた外部フレーム内に配置される。後者の場合、シャーシは外部フレームに固定され、照明手段によって放射された光は半透明の布を通過する。
【０００４】
擬似天井、擬似壁またはライトボックスであるかどうかに関わらず、布の外側の光強度は所望の効果に対して不十分なことがある。一方では、半透明布は一般に５０％程度の透過率を有し、これは光強度の５０％が失われることを意味する。他方では、光源は布から遠く離れている場合があり、布に当たる光の強度が弱くなる。
【０００５】
解決手段は、光源を布に接近させること、光源の数を増やすこと、または光源の出力を増加させることからなる。しかし、これら解決手段の実現には欠点がある。さらに、劣化を防ぐために、光源と布との間には最小限の安全距離が必要である。これらの解決手段にも関わらず、光強度が不十分であるという問題が残っている。
【０００６】
一方、シャーシを形成するプロファイルは、一般に矩形の断面を有し、上面が壁または天井に面し、下面が布に面している。布は一般に、プロファイルの下側全体を覆う。従って、延伸布を観察すると、布を透過して、または布上に投影された影によって、プロファイルの下側が目に見えて、シャーシの周囲全体に見苦しい陰影領域が形成される。
【０００７】
欧州特許第２，４９４，１２１号明細書に記載されている既知の解決手段は三角形の断面を有し、先端が布の方に向けられ、他の２つの縁部が壁または天井に向けられたプロファイルを使用することからなる。このようにして、布の方に向けられた先端のみが依然として目に見える場合があり、光は斜辺に沿って通ることができる。この解決手段は布の周囲の照明を改善するが、依然として布表面の全体に均一な照明を得ることはできない。実際に、プロファイル自体は、たとえ三角形の形状であっても、依然として布上に影を投影し、布の周囲に沿って、布の他の場所よりも光強度が低い陰影領域を形成する。
【発明の概要】
【発明が解決しようとする課題】
【０００８】
本発明は、布を通過する光の強度を全体的に増加させること、および布の表面領域の全体にわたって光強度を均一化させる一方で、従来技術での周縁部の陰影領域を抑制することを可能にする装置によって、上述の様々な欠点を解決することを目的としている。この装置は、実装が簡単であり、擬似壁、擬似天井、およびライトボックスに同様に適応可能でなければならない。
【課題を解決するための手段】
【０００９】
この目的は、
少なくとも１つのプロファイルによって構成され、壁または天井などの、被覆されるべきパネルの方に向けられた上側部分と、下側部分とを備える、シャーシ、
シャーシに固定され、シャーシの下側部分に張設された拡散用布、および、
パネルと布との間に配置され、布の方向に光を照射する照明手段
を備える発光型擬似壁装置によって達成される。
【００１０】
この装置の主な特徴は、シャーシには照明手段の強度を増加させる手段が設けられていることである。
【００１１】
本発明の主な概念は、従来技術の場合のように照明手段のパラメータを直接的に調整するのではなく、シャーシ自体を使用して布の外側の光強度を増加させることからなる。
【００１２】
より具体的には、光強度を増加させる前記手段は、照明手段からの入射光線を布に向かって反射するのに好適な反射面からなる。従って、本発明は、シャーシの反射面を使用することによって、光学原理、特に完全反射の原理に重点を置いている。この面の向き、その反射特性、その形状、および照明手段からの入射光線の方向に応じて、布から放射される光の強度を増加させることができる。
【００１３】
本発明の様々な実施形態によると、以下を一緒にまたは別々に実施してもよい。
【００１４】
・各プロファイルは、パネルに向いた上側板と、上側板に対して垂直に向いた外側板と、外側板に面した内側板とを有し、前記反射面は少なくとも１つのプロファイルの前記内側板に位置しており、プロファイルの断面は、例えば矩形または三角形の形状であってもよい。
【００１５】
・反射面は、好ましくは全てのプロファイルの内側板に配置されており、このようにして光はシャーシ全体によって均一に反射される。
【００１６】
・前記反射面は、１００％程度の反射率と、０％程度の透過率とを有する。これは、この表面では反射が完全であり、光線がこの表面を通過し得ないことを意味する。例えば、この表面をアルミニウム被覆することができる。
【００１７】
・前記反射面は、前記内側板上に適用された、反射特性を有するペイント層からなる。
【００１８】
・前記反射面は、内側板に固定された反射板からなる。例えば、この板は接着されるか、またはクリップで取り付けられてもよい。
【００１９】
・プロファイルの前記内側板は前記反射板を収容するのに好適な凹部を備える。板の幅がプロファイルの内側板の幅よりも小さい場合、この凹部により、プロファイルの内側板が滑らかで完全に平坦な状態を維持することが可能になる。
【００２０】
・前記反射板は鏡からなる。
【００２１】
・各プロファイルに対して、内側板は上側板の長手方向端部を外側板の長手方向端部に直接結合させる。この場合、プロファイルは３つの側板のみを有する。
【００２２】
・内側板は平面からなる。この場合、プロファイルの断面は三角形であり、斜辺は内側板に対応する。この平面は遮断部を備えてもよい。
【００２３】
・内側板は、曲線状部分が装置の内側板に向いた凹面からなる。この場合、プロファイルの断面は、例えば楕円の四分の一または円の四分の一である。凹面は、所望の反射に応じて、より複雑な形状を有してもよい。
【００２４】
・シャーシは、シャーシに面した周縁部において、布上に陰影領域を生じさせ、前記反射面は、照明手段から来る光線の一部を前記陰影領域に方向転換して、布表面全体の光度のレベルを一様にするように構成されている。
【００２５】
・前記照明手段は少なくとも１つのＬＥＤ光源からなる。蛍光灯またはハロゲンライトなどの他の種類の光源を使用してもよい。
【００２６】
・前記照明手段は、装置内で均一に分布された複数の光源からなる。この分布は、光が布表面全体に均一に投射されて、他よりも明るい領域がないように計算される。
【００２７】
・前記布は、少なくとも５０％の光透過を有する、好ましくは織布製またはＰＶＣ製の半透明の拡散用布からなる。
【００２８】
・布とパネルの間にシートが介在し、シャーシに固定されてもいる。シートは、布の目に見える下面上に虫が落ちることを防止することによる虫に対する保護機能、または装置の音響性能を改善することによる音響機能、または布上の光の分布を改善するための拡散機能、などを有してもよい。
【００２９】
・この半透明の拡散用シートは、好ましくは少なくとも５０％の光透過を有する織布またはＰＶＣで作られている。
【００３０】
・布はシャーシの下部全体を覆っている。このようにしてシャーシ構造自体は見えず、それにより装置の美的外観が向上する。
【００３１】
本発明はまた、ライトボックスを作製するための、上述のような発光型擬似壁装置の使用に関する。
【００３２】
例示的かつ非限定的な例としてのみ与えられた以下の説明を読み、添付の概略図を参照することで、本発明はより良く理解され、本発明の他の目的、詳細、特徴、および利点は、より明らかになるであろう。
【図面の簡単な説明】
【００３３】
【図１】本発明が適用され得る擬似パネル装置の一例の斜視図を示す。
【図２】本発明が適用され得る擬似パネル装置の別の例の斜視図を示す。
【図３】本発明が適用され得る擬似パネル装置のさらに別の例の斜視図を示す。
【図４】本発明が適用され得る擬似パネル装置のさらに別の例の斜視図を示す。
【図５】本発明が適用され得る擬似パネル装置のさらに別の例の斜視図を示す。
【図６】本発明による擬似壁装置の一部を通る光路の拡大図である。
【図７】本発明による擬似壁装置の概略図である。
【図８】本発明による擬似壁装置のプロファイルの断面の一形状を表す。
【図９】本発明の擬似壁装置のプロファイルの断面の別の形状を表す。
【図１０】本発明の擬似壁装置のプロファイルの断面のさらに別の形状を表す。
【図１１】本発明の擬似壁装置のプロファイルの断面のさらに別の形状を表す。
【図１２】プロファイルの内側板への反射板の一体化を示す。
【発明を実施するための形態】
【００３４】
図において、様々な実施形態に共通の構造的要素および／または機能的要素は、同一の参照番号を有し得ることに留意されたい。従って、特に指示がない限り、そのような要素は同一の構造的特性および機能的特性を有する。
【００３５】
図１は、発光型擬似壁装置の１つの例を示す。
【００３６】
この装置は、複雑な構造を有する一組のプロファイルによって構成されたシャーシ１を含有する。シャーシはねじまたは任意の他の取付け手段によって部屋の垂直壁に固定される。
【００３７】
例えば、擬似壁を天井に取り付けるために、シャーシは部屋の４つの壁に延びる４つのプロファイルを備える。
【００３８】
布２は、これら４つのプロファイルの間で、シャーシの下側部分、すなわち天井に対して遠位の部分の高さで張設されている。この布２には、その周縁端部に沿ってフック形の取付け手段５が設けられている。
【００３９】
各プロファイルは、その下側部分に、２つの側板１７、１８、および底板１９によって画定された、Ｕ字形断面を有する溝１６を備える。底板１９とは反対側の、横方向のＵ字形側板の端部は、溝１６内で布２のフック５が通過するための開口部を形成している。フック５を溝１６内に確実に掛止させるために、一方の側板の内側面には長手方向の掛止用のリップ２０がある。図示の例では、リップ２０は側板１７の内面に設けられている。
【００４０】
張設される布２を掛止するためのいくつかの技術が存在する。
【００４１】
フックの代わりに、布２の周縁端部にビードを設けてもよい。このビードは、溝のリップへの固定を可能にする突起を備える。
【００４２】
クリップを溝内に挿入することも可能であり、その固定は依然としてリップによって確保される。次に、布２の露出した周縁端部をクリップの中に滑り込ませ、挟み込みによって保持する。
【００４３】
他の技術も本発明の範囲内に包含される。
【００４４】
この発光型擬似壁装置が設置されている部屋を照明することができるように、照明手段が天井に設けられ、照明手段の下方において張設された布２が光を拡散させる。
【００４５】
好ましくは、この張設される布２は半透明であり、少なくとも５０％の光透過率を有する。この布は、織布もしくはＰＶＣ、または任意の他の好適な材料で作られていてもよい。
【００４６】
いかなる混乱をも避けるために「シート」３と称する別の布を、任意選択的に照明手段と布２との間に介在させてもよい。このシート３もまた、光を最大限に通過させるために、少なくとも５０％の光透過率を有し、拡散性を有しかつ半透明である。このシート３は、以下の様々な機能を担うことができる。すなわち、
・虫が布２上に落ちて目に見えることを防止する、保護機能、
・部屋の音響性能、例えば防音機能を改善する特性を有する、音響機能、
・シート３を通って拡散する光の分布が均一である、照明機能。
【００４７】
このシート３は、布２と同じ方法で張設されシャーシ１に固定されているが、シャーシ１の上側部分に位置する別の溝２１内にあり、天井により近い。図示の例では、シート３には、その周縁端部に、溝２１の中に挿入するのに好適なフック６が設けられている。
【００４８】
この溝２１は、Ｕ字形断面を有し、２つの側板２３、２４、および底板２５によって形成されている。
【００４９】
フック６は、側板２３の内側面に位置するリップ２２によって溝２１内に保持される。
【００５０】
この例では、側板２４はシャーシ１の上側板を構成している。この側板４は、その周縁端部の近傍で布２上に影７を投影する。布２をその内側面から観察すると、布２の周囲全体に陰影領域７が見られる。
【００５１】
図２は、フック１５によって天井から吊り下げることができるライトボックスを示す。
【００５２】
このボックスは、４つのプロファイルの組立体によって形成された矩形のシャーシ１を備える。プロファイルは図１のものとは異なる形状をしているが、その機能は同じである。すなわち、その目的は布２を張設することである。これらのプロファイルは矩形の断面を有する。
【００５３】
この例では、図１とは異なり、布２はシャーシの下側部分を完全に覆い、次に、その外側部分に沿って折り畳まれて、そのフック５が上側部分に固定され得る。
【００５４】
この場合、布と直接接触しているシャーシ１の下側部分は、照明手段８からの光線が、シャーシの直下に位置する布２の周囲を照射することを妨げるので、布２の周囲全体に影７が投影される。
【００５５】
これを回避するために、図３〜図５に示すような三角形の断面を有するプロファイルが好ましい。このタイプの断面により、光が布の周囲を通過することが可能になる。
【００５６】
しかし、プロファイルの上側部分は依然として布の周囲に影７を投影しており、図２の場合よりも明白ではないとはいえ、依然として存在している。
【００５７】
図３は、天井４に固定されたネオン管からなる照明手段８の例を示す。しかし、任意の種類の照明手段８が、すなわち、エネルギー消費および発熱が少なく、火災の危険性および布２の劣化を回避するために安全性の観点から有利な、天井ＬＥＤまたはタイルＬＥＤが本発明の範囲に含まれる。
【００５８】
図３〜図５のそれぞれにおいて、布２はシャーシ１の下側部分で張設され、シート３はシャーシ１の上側部分で張設される。
【００５９】
全ての場合において、シャーシ／布のこれらセットは、部屋の壁を覆い、従って垂直に配置されるか、または天井を覆い、従って水平に配置されるように構成されている。シャーシ１は、天井にレールによって直接固定されてもよく、もしくは吊り下げて間接的に固定されてもよく、または図３のようにねじによって壁に固定されてもよい。シャーシ／布の組立体はまた、装飾目的のために天井または壁の一部のみを覆う、単なるライトボックスであってもよい。全ての可能な構成が本発明の範囲内に包含される。
【００６０】
図６を参照すると、三角形の断面を有するプロファイルを有する、本発明による装置が詳細に示されている。
【００６１】
より具体的には、プロファイルは、パネルの方を向いて覆う上側板９と、外側板１０と、外側板１０に面した内側板１１とを有し、内側板１１と外側板１０は三角形の先端１４で接合されている。
【００６２】
布２はこの先端１４を覆い、外側板１０上に作られた、図１の溝１６と同等の溝２６のレベルでプロファイルに固定される。
【００６３】
プロファイルの上側部分の内側板に作られた溝２７は、保護シート３を任意選択的に収容するために設けられている。
【００６４】
先に説明したように、プロファイルの上側板９は布２の周縁部に影７を投影する。
【００６５】
内側板１１は反射層で被覆されている。特に、この反射面２８は、照明手段８によって照射された光を反射する。この例では、照明手段はＬＥＤタイルであり、従って複数光源装置である。
【００６６】
反射層は、内側板１１上に特定の塗料を塗布することによって、または内側板１１上に反射板を固定することによって、または内側板１１上に鏡を固定することによって、または完全反射を有する、すなわち１００％程度の反射率および０％程度の透過率を有する反射面２８を得ることを可能にする任意の他の手段によって、得ることができる。
【００６７】
図６は、天井光源によって照射される光の異なる経路を示す。この例では、内側板１１は、第１の部分１１ａを第２の部分１１ｂから分離する遮断部を有し、両部分１１ａおよび１１ｂは異なる反射角を有する。しかし、以下の記述で説明するように、それは例のうちの１つに過ぎず、内側板１１は完全に平坦であってもよい。
【００６８】
いくつかの入射光線ｉ１、ｉ２、ｉ３はプロファイルに触れることなく布２に直接当たる。次に、入射光線は布２によってわずかに屈折し、屈折光線ｔ１、ｔ２、ｔ３を形成する。プロファイルが反射面２８を有するか否かに関わらず、これら光線は陰影領域７内に存在する。
【００６９】
他の入射光線ｉ７、ｉ８、ｉ９は反射面２８に当たり、布２に向かって、より具体的には陰影領域７の方向に反射される。次に、これら反射光線ｒ７、ｒ８、ｒ９は、布２によってわずかに屈折し、布の外側を照らす光線ｔ７、ｔ８、ｔ９を形成する。従来技術では、これら入射光線ｉ７、ｉ８、ｉ９はプロファイルによって阻止または吸収され、その結果、反射されなかった。従って、反射面２８の存在により、布２に当たる光線の量を増加させることが可能になる。
【００７０】
入射光線ｉ１０、ｉ１１、ｉ１２も、光線ｉ４〜ｉ９が当たる内側板１１の部分１１ａとは異なる角度を有する、内側板１１の部分１１ｂのレベルで、反射面２８に当たる。従って、この部分１１ｂは、光を異なる角度で反射し、それにより布２に当たる反射光線ｒ１０、ｒ１１、ｒ１２を形成し、次いで布２を出る屈折光線ｔ１０、ｔ１１、ｔ１２を形成する。これら光線も陰影領域７に当たるが、これに対して従来技術では、これら光線はプロファイルによって阻止されていた。
【００７１】
この例では、光線ｔ１、ｔ２、ｔ３、ｔ７、ｔ８、ｔ９、ｔ１０、ｔ１１、ｔ１２は全てが布の周縁部に当たり、これに対して従来技術では、光線ｔ１、ｔ２、ｔ３のみが、そうなることに成功していた。布２の周縁部に到達する光線の数がこのように顕著に増加することにより、陰影領域７を大幅に減らすことが、またはさらに抑制することが可能になる。
【００７２】
従って、この反射面２８は布２上の光の分布を均一化させることを可能にして、装置の美的特質を向上させる。
【００７３】
これに対して、この反射面２８はまた、布２上の全体的な照明レベルを増加させることを可能にする。
【００７４】
実際には、例えば、入射光線ｉ４、ｉ５、ｉ６は反射面２８によって反射され、布２上で陰影領域の外側に、すなわち布２の中央領域に向いた反射光線ｒ４、ｒ５、ｒ６を形成する。次に、これら光線はわずかに屈折し、布２の外側の光線ｔ４、ｔ５、ｔ６を形成する。これら入射光線ｉ４、ｉ５、ｉ６は、従来技術のプロファイルによって阻止されたものであり、現在は布２上に投射され、従って、布２の出口における照明パワーは、陰影領域７の外側においてさえ全体的に増加する。
【００７５】
これは図７でより明示されており、入射光線ｉ１４、ｉ１５が布２の中央寄りの領域に当たる反射光線ｒ１４、ｒ１５を形成し、その後わずかに屈折して、布２の出口において光線ｔ１４、ｔ１５になる。
【００７６】
しかし、光線の経路は純粋に表示用のものであり、多数のパラメータ、例えば、光源の向き、内側板１１の傾斜、反射面２８の反射特性、布２の屈折特性などを活用することにより、他の入射角、反射角および屈折角を得ることができることに留意されたい。シート３を追加することによっても入射光線の経路は変化する。
【００７７】
特に、内側板１１は、布の出口における所望の結果に応じて様々な形状を有することができる。
【００７８】
図８では、プロファイルの内側板１１は完全に平坦である。
【００７９】
図９では、プロファイルの内側板１１は、２つの平坦部分１１ａと１１ｂを分離する遮断部１１ｃを有しており、図６および図７に示す形態を表している。
【００８０】
図１０では、内側板１１は、曲線状部分が装置の内側に向いた凹形状を有する。曲線状部分は楕円の四分の一に相当する。
【００８１】
図１１では、内側板１１は、曲線状部分が装置の内側に向いた凹形状を有する。曲線状部分は円の四分の一に相当する。
【００８２】
もちろん、光源８から来る光線をより良く反射するために他の形状も想定できる。
【００８３】
図１２を参照すると、反射板２８の場合、その幅がプロファイルの内側板１１の幅よりも小さい場合、反射板２８を収容するために内側板１１に凹部２９を設けることができる。凹部の幅は反射板２８の幅と実質的に等しいので、内側板におけるプロファイルの外観は、凹凸が一切なく完全に滑らかである。これにより、光を適切に反射させることができる。
【００８４】
反射面２８は、図１〜図５に示す全ての例に実装することができる。特に、シャーシ１の（特にプロファイルの）内側板１１に反射面２８を設けることができる。
【００８５】
布２から出てくる光の強度は全体的に増加する。
【００８６】
加えて、布２と接触しているシャーシ１の下側部分の幅方向にわたって陰影領域７が残ることになる図２の装置を除いて、光は陰影領域７においてさえも、布２の全表面領域上に均一に分布されることになる。
【００８７】
説明した例では、シャーシ１は４つのプロファイルを有する矩形を形成して、天井、壁またはボックスの通常の矩形形状に対応している。しかし、１つまたは複数の適切に成形されたプロファイルを有する、円形または楕円形の形状を有するシャーシを想定することも可能である。本発明はこれら全ての実施形態を包含する。
【００８８】
上述の説明に関して、サイズ、材料、形状、機能および動作モード、組み立て、および使用の任意の変形を含む本発明の部品の最適な寸法関係は、当業者には明らかで明白であると考えられ、かつ図面に示されている関係、および明細書に詳述されている関係と等価なものは全て、本発明に含まれることを意図している。
【図１】
2019519899.tif 000003
【図２】
2019519899.tif 000004
【図３】
2019519899.tif 000005
【図４】
2019519899.tif 000006
【図５】
2019519899.tif 000007
【図６】
2019519899.tif 000008
【図７】
2019519899.tif 000009
【図８】
2019519899.tif 000010
【図９】
2019519899.tif 000011
【図１０】
2019519899.tif 000012
【図１１】
2019519899.tif 000013
【図１２】
2019519899.tif 000014
【国際調査報告】
2019519899.tif 000015
2019519899.tif 000016
2019519899.tif 000017
2019519899.tif 000018